【手続補正書】
【提出日】平成18年12月26日(2006.12.26)
【手続補正１】
【補正対象書類名】明細書
【補正対象項目名】発明の名称
【補正方法】変更
【補正の内容】
【発明の名称】画像データ処理方法およびプリンタ並びに画像データ処理プログラムを記録した記録媒体
【手続補正２】
【補正対象書類名】明細書
【補正対象項目名】特許請求の範囲
【補正方法】変更
【補正の内容】
【特許請求の範囲】
【請求項１】  カメラによって撮影された画像データの入った画像ファイルを読み込んで画像処理し印刷可能な画像データとして出力する画像データ処理方法
被写体の種類に基づいた画像処理モードを選択し、
これによって選択された画像処理モードに基づき前記画像ファイル中の画像データに対し画像処理を施し、
この画像処理された画像データを印刷可能なデータとして出力する
画像データ処理方法。
【請求項２】  請求項１記載の画像データ処理方法であって、
前記画像処理モードはユーザの指示によって選択可能とし、
どのような画像処理モードとするかは被写体の種類に応じてユーザによって任意に選択可能であるとともに自動選択の指示も可能であって、
ユーザが被写体の種類に応じて画像モードを指示した場合は、ユーザの指示に応じた画像処理モードが選択され、選択された画像処理モードによる画像処理を行って印刷可能なデータとして出力し、
ユーザが自動選択を指示した場合は、前記画像ファイル中に存在する被写体の種類を示唆する情報に基づいて画像処理モードを自動選択し、選択された画像処理モードによる画像処理を行って印刷可能なデータとして出力する
画像データ処理方法。
【請求項３】  請求項２記載の画像データ処理方法であって、
前記被写体の種類を示唆する情報とは、適切な被写体画像を得るために撮影時にカメラ側で設定される被写体の種類対応の撮影モード情報もしくは焦点距離や露出などの撮影パラメータと、前記画像データに含まれる被写体の特徴を表す情報である
画像データ処理方法。
【請求項４】  請求項３記載の画像データ処理方法であって、
前記画像処理モードが自動選択とされた場合における画像処理モードの自動選択処理は、
前記画像ファイル中に前記カメラ側で設定された撮影モード情報が存在するか否かを調べ、
撮影モード情報が存在する場合は、その撮影モード情報に基づいて画像処理モードを選択し、
前記撮影モード情報が存在しない場合は、前記画像ファイル中の前記撮影パラメータと画像ファイル中の画像データに含まれる被写体の特徴を表す情報とを用いて画像処理モードを選択する
画像データ処理方法。
【請求項５】  カメラによって撮影された画像データの入った画像ファイルを読み込んで画像データを取得してその画像データを処理し印刷可能な画像データを得てその画像データを用いて印刷を行うプリンタであって、
前記画像ファイルを読み込んで画像データを取得する画像データ取得部と、
被写体の種類に基づいた画像処理モードを選択する画像処理モード選択部と、
この画像処理モード選択部で選択された画像処理モードに基づき前記画像ファイル中の画像データに対し画像処理を施す画像処理部と、
この画像処理部で処理された画像データを印刷する印刷処理部と
を備えたプリンタ。
【請求項６】  請求項５記載のプリンタであって、
ユーザの指示によって前記画像処理モードの選択を受け付ける画像処理モード設定部であり、どのような画像処理モードとするかは被写体の種類に応じてユーザによって任意に選択可能であるとともに自動選択の指示も可能な画像処理モード設定部を有し、
前記画像処理部は、
ユーザが被写体の種類に応じて画像モードを指示した場合は、ユーザの指示に応じた画像処理モードが選択され、選択された画像処理モードによる画像処理を行って印刷可能なデータとして出力し、
ユーザが自動選択を指示した場合は、前記画像ファイル中に存在する被写体の種類を示唆する情報に基づいて画像処理モードを自動選択し、選択された画像処理モードによる画像処理を行って印刷可能なデータとして出力する
プリンタ。
【請求項７】  請求項６記載のプリンタであって、
前記被写体の種類を示唆する情報とは、適切な被写体画像を得るために撮影時にカメラ側で設定される被写体の種類対応の撮影モード情報もしくは焦点距離や露出などの撮影パラメータと前記画像データに含まれる被写体の特徴を表す情報とであるプリンタ。
【請求項８】  請求項７記載のプリンタであって、
前記画像処理部は、
前記画像処理モードが自動選択とされた場合における画像処理モードの自動選択処理は、前記画像ファイル中に前記カメラ側で設定された撮影モード情報が存在するか否かを調べ、
撮影モード情報が存在する場合は、その撮影モード情報に基づいて画像処理モードを選択し、
前記撮影モード情報が存在しない場合は、前記画像ファイル中の前記撮影パラメータと画像ファイル中の画像データに含まれる被写体の特徴を表す情報とを用いて画像処理モードを選択する
プリンタ。
【請求項９】  コンピュータにより読み込み可能であり、カメラによって撮影された画像データの入った画像ファイルを読み込んで画像処理し、印刷可能な画像データとして出力する画像データ処理プログラムを記録した記録媒体であって、
前記画像処理プログラムは、
前記画像ファイルを読み込む手順と、
被写体の種類に基づいた画像処理モードを選択する手順と、
これによって選択された画像処理モードに基づき前記画像ファイル中の画像データに対し画像処理を施し、印刷可能なデータとして出力する手順と、
を含む画像データ処理プログラムを記録した記録媒体。
【請求項１０】  請求項９記載の画像データ処理プログラムを記録した記録媒体であって、
前記画像処理モードはユーザの指示によって選択可能とし、どのような画像処理モードとするかは被写体の種類に応じてユーザによって任意に選択可能であるとともに自動選択の指示も可能であって、
ユーザが被写体の種類に応じて画像モードを指示した場合は、ユーザの指示に応じた画像処理モードが選択され、選択された画像処理モードによる画像処理を行って印刷可能なデータとして出力し、
ユーザが自動選択を指示した場合は、前記画像ファイル中に存在する被写体の種類を示唆する情報に基づいて画像処理モードを自動選択し、選択された画像処理モードによる画像処理を行って印刷可能なデータとして出力する
画像データ処理プログラムを記録した記録媒体。
【請求項１１】  前記被写体の種類を示唆する情報とは、適切な被写体画像を得るために撮影時にカメラ側で設定される被写体の種類対応の撮影モード情報もしくは焦点距離や露出などの撮影パラメータおよび前記画像データに含まれる被写体の特徴を表す情報である請求項１０記載の画像データ処理プログラムを記録した記録媒体。
【請求項１２】  請求項１１記載の画像データ処理方法であって、
前記画像処理モードが自動選択とされた場合における画像処理モードの自動選択処理は、
前記画像ファイル中に前記カメラ側で設定された撮影モード情報が存在するか否かを調べ、
撮影モード情報が存在する場合は、その撮影モード情報に基づいて画像処理モードを選択し、
前記撮影モード情報が存在しない場合は、前記画像ファイル中の前記撮影パラメータと画像ファイル中の画像データに含まれる被写体の特徴を表す情報とを用いて画像処理モードを選択する
画像データ処理プログラムを記録した記録媒体。
【手続補正３】
【補正対象書類名】明細書
【補正対象項目名】０００５
【補正方法】変更
【補正の内容】
【０００５】
【課題を解決するための手段】
上述した目的を達成するために、本発明の画像データ処理方法は、カメラによって撮影された画像データの入った画像ファイルを読み込んで画像処理し印刷可能な画像データとして出力する画像データ処理方法において、被写体の種類に基づいた画像処理モードを選択し、これによって選択された画像処理モードに基づき前記画像ファイル中の画像データに対し画像処理を施し、この画像処理された画像データを印刷可能なデータとして出力するようにしている。
【手続補正４】
【補正対象書類名】明細書
【補正対象項目名】０００７
【補正方法】変更
【補正の内容】
【０００７】
また、本発明の画像データ処理プログラムを記録した記録媒体は、カメラによって撮影された画像データの入った画像ファイルを読み込んで画像処理し印刷可能な画像データとして出力する画像データ処理プログラムを記録した記録媒体であって、その画像処理プログラムは、前記画像ファイルを読み込む手順と、被写体の種類に基づいた画像処理モードを選択する手順と、これによって選択された画像処理モードに基づき前記画像ファイル中の画像データに対し画像処理を施し、印刷可能なデータとして出力する手順とを含んでいる。
【手続補正５】
【補正対象書類名】明細書
【補正対象項目名】００１６
【補正方法】変更
【補正の内容】
【００１６】
【発明の実施の形態】
以下、本発明の実施の形態について説明する。なお、この実施の形態で説明する内容は、本発明の画像データ処理方法、プリンタについての説明であるとともに、本発明の画像データ処理プログラムを記録した記録媒体における画像データ処理プログラムの具体的な処理手順をも含むものである。